(57)【要約】【課題】アスペクト比情報を入力側から出力側へ伝達する。【解決手段】Ｓビデオ端子１ａに入力されたＳビデオ信号をコンポーネントビデオ信号に変換するビデオデコーダ７およびビデオエンコーダ８と、Ｓビデオ信号の輝度信号からＩＤ-１コードを取得するＩＤ-１コード検出回路４と、ＩＤ-１コード検出回路４が取得したＩＤ-１コードを解析するマイコン９と、マイコン９の解析結果に基づいてアスペクト比識別信号を発生するアスペクト比識別信号出力回路１１と、ビデオデコーダ７およびビデオエンコーダ８が変換したコンポーネントビデオ信号およびアスペクト比識別信号出力回路１１が出力したアスペクト比識別信号を外部出力するためのＤ端子１４ｂと、を有する。【選択図】図１
2005102022.tif 000002
【特許請求の範囲】
【請求項１】
入力端子であるＳビデオ端子と、出力端子であるＤ端子と、を有するビデオ信号入出力装置であって、
前記Ｓビデオ端子に入力されたＳビデオ信号をコンポーネントビデオ信号に変換する変換手段と、
前記Ｓビデオ信号の輝度信号に重畳されたＩＤ-１コードを取得する取得手段と、
前記取得手段が取得したＩＤ-１コードを解析する解析手段と、
前記解析手段の解析結果に基づいてアスペクト比識別信号を発生する信号発生手段と、を有し、
前記アスペクト比識別信号および前記コンポーネントビデオ信号が前記Ｄ端子より出力されること
を特徴とするビデオ信号入出力装置。
【請求項２】
入力端子であるコンポジットビデオ端子と、出力端子であるＤ端子と、を有するビデオ信号入出力装置であって、
前記コンポジットビデオ端子に入力されたコンポジットビデオ信号をコンポーネントビデオ信号に変換する変換手段と、
前記コンポジットビデオ信号に重畳されたＩＤ-１コードを取得する取得手段と、
前記取得手段が取得したＩＤ-１コードを解析する解析手段と、
前記解析手段の解析結果に基づいてアスペクト比識別信号を発生する信号発生手段と、を有し、
前記アスペクト比識別信号および前記コンポーネントビデオ信号が前記Ｄ端子より出力されること
を特徴とするビデオ信号入出力装置。
【請求項３】
入力端子であるコンポーネントビデオ端子と、出力端子であるＤ端子と、を有するビデオ信号入出力装置であって、
前記コンポーネントビデオ端子に入力されたコンポーネントビデオ信号の輝度信号に重畳されたＩＤ-１コードを取得する取得手段と、
前記取得手段が取得したＩＤ-１コードを解析する解析手段と、
前記解析手段の解析結果に基づいてアスペクト比識別信号を発生する信号発生手段と、を有し、
前記アスペクト比識別信号および前記コンポーネントビデオ信号が前記Ｄ端子より出力されること
を特徴とするビデオ信号入出力装置。
【請求項４】
入力端子であるＳビデオ端子と、出力端子であるコンポジットビデオ端子と、を有するビデオ信号入出力装置であって、
前記Ｓビデオ端子に入力されたＳビデオ信号をコンポジットビデオ信号に変換する変換手段と、
前記Ｓビデオ信号の色信号に重畳されたアスペクト比識別信号を取得する取得手段と、
前記取得手段が取得したアスペクト比識別信号を解析する解析手段と、
前記解析手段の解析結果に基づいて、前記アスペクト比識別信号に対応するＩＤ-１コードを前記コンポジットビデオ信号に重畳する重畳手段と、を有し、
前記アスペクト比識別信号が重畳された前記コンポジットビデオ信号が前記コンポジットビデオ端子より出力されること
を特徴とするビデオ信号入出力装置。
【請求項５】
入力端子であるＳビデオ端子と、出力端子であるコンポーネントビデオ端子と、を有するビデオ信号入出力装置であって、
前記Ｓビデオ端子に入力されたＳビデオ信号をコンポーネントビデオ信号に変換する変換手段と、
前記Ｓビデオ信号の色信号に重畳されたアスペクト比識別信号を取得する取得手段と、
前記取得手段が取得したアスペクト比識別信号を解析する解析手段と、
前記解析手段の解析結果に基づいて、前記アスペクト比識別信号に対応するＩＤ-１コードを前記コンポーネントビデオ信号の輝度信号に重畳する重畳手段と、を有し、
前記アスペクト比識別信号が重畳された前記コンポーネントビデオ信号が前記コンポーネントビデオ端子より出力されること
を特徴とするビデオ信号入出力装置。
【発明の詳細な説明】
【技術分野】
【０００１】
本発明は、ビデオ再生装置、衛星チューナ、ＡＶ（Audio Visual）アンプ等のビデオ信号入出力装置に関する。
【背景技術】
【０００２】
ビデオテーププレーヤ、ビデオディスクプレーヤ等のビデオ再生装置、衛星チューナ、ＡＶ（Audio Visual）アンプ、テレビジョン受信機、および、モニタ等のビデオ信号入出力装置では、ビデオ信号の入出力端子として、コンポジットビデオ端子、コンポーネントビデオ端子、Ｓビデオ端子等が用いられてる。これらの端子同士をケーブルで接続することにより、ビデオ信号が装置間で送受信される。
【０００３】
ここで、コンポジットビデオ信号、コンポーネントビデオ信号、Ｓビデオ信号には、アスペクト比に関する情報(アスペクト比情報)が重畳されている。テレビジョン受信機は、これらの信号を受信すると、受信信号に重畳されているアスペクト比情報に基づいて、映像の縦・横の比率を決定し、映像を出力することができる。
【０００４】
アスペクト比情報には、２０ビットのコードによりアスペクト比を示すＩＤ-１コードと、直流電圧によりアスペクト比を示すアスペクト比識別信号とがある。ＩＤ-１コードは、コンポジットビデオ信号、コンポーネントビデオ信号の輝度信号、Ｓビデオ信号の輝度信号に重畳される。一方、アスペクト比識別信号は、Ｓビデオ信号の色信号に重畳される。アスペクト比識別信号には、アスペクト比１６：９のスクイーズ信号およびアスペクト比４：３のビデオ信号の切替えに用いられるＳ１端子信号と、アスペクト比１６：９のスクイーズ信号、アスペクト比４：３の映像信号およびアスペクト比４：３のレターボックス信号の切替えに用いられるＳ２端子信号とがある。
【０００５】
近年、デジタル衛星チューナに対応したＤ端子を備えたテレビジョン受信機が増えつつある。Ｄ端子には、ビデオ信号の他に、アスペクト比に関する情報や走査線に関する情報等を送受するための専用の信号線に対応するピンが設けられている。
【０００６】
Ｄ端子同士をケーブル接続する技術として、例えば、特許文献１に開示されているデジタル放送受信機およびテレビジョン受像機がある。このデジタル放送受信機およびテレビジョン受像機では、Ｄ端子ケーブルを介してデジタル放送受信機からテレビジョン受像機に、ビデオ信号の他にアスペクト比情報も送信する。このため、テレビジョン受像機は、送られてきたアスペクト比情報に基づいて映像を画面に表示することができる。
【０００７】
また、Ｄ端子を備えていない映像装置とＤ端子を備える映像装置とを接続する技術として、例えば、特許文献２に開示されているＤ端子変換ケーブルがある。このＤ端子変換ケーブルは、Ｄ端子を備えていない映像装置のＳビデオ端子およびコンポーネントビデオ端子の両方と接続し、Ｓビデオ端子の色信号からＬＰＦにより直流線分のみを取り出し、当該直流線分をＤ端子のアスペクト比情報を出力するラインに出力している。これにより、Ｄ端子を備えていない映像装置のＳビデオ端子から得られるアスペクト比情報を、Ｄ端子変換ケーブルを介してＤ端子を備える映像装置に伝送することができるため、Ｄ端子を備える映像装置は、アスペクト比情報に基づいて映像を画面に表示することができる。
【０００８】
【特許文献１】特開２００１-１８９８９７号公報
【０００９】
【特許文献２】特開２００３-５２０４７号公報
【発明の開示】
【発明が解決しようとする課題】
【００１０】
最近、サラウンド再生が可能なＡＶ（Audio Visual）アンプの普及に伴い、再生装置または衛星チューナとテレビジョン受信機とをＡＶアンプを介して接続して利用する形態が多くなってきている。ここで、従来のＡＶアンプは、出力端子としてＤ端子を備えているものはあるが、入力端子としてＤ端子を備えているものは殆どない。入力端子としてＤ端子を備えていないＡＶアンプでは、Ｄ端子同士で衛星チューナとケーブル接続することができない。つまり、特許文献１のように、衛星チューナおよびテレビジョン受信機間をＤ端子同士でケーブル接続することができない。このため、ＡＶアンプとテレビジョン受信機とを、Ｄ端子同士でケーブル接続したとしても、ＡＶアンプを介して互いに接続される衛星チューナとテレビジョン受信機との間で、アスペクト比情報を伝送することができない。したがって、テレビジョン受信機は、アスペクト比情報に基づいて映像を画面に表示することができない。
【００１１】
なお、出力端子としてＤ端子を備えていないビデオ再生装置やＡＶアンプや衛星チューナと、入力端子としてＤ端子を備えているテレビジョン受信機とを接続する場合がある。この場合、特許文献２に開示されているＤ端子変換ケーブルを用いることができる。しかし、Ｄ端子変換ケーブルは、ビデオ信号入出力装置のＳビデオ端子およびコンポーネントビデオ端子の両方を使用しなければならない。このため、出力端子としてＳビデオ端子を備えていないビデオ信号入出力装置、あるいは、出力端子としてＳビデオ端子を備えていてもアスペクト比識別信号(Ｓ１端子信号またはＳ２端子信号）を出力する機能を備えてないビデオ信号入出力装置の場合、Ｄ端子変換ケーブルは、Ｄ端子のアスペクト比に関する情報を出力する信号線にアスペクト比情報を出力することができない。このため、テレビジョン受信機は、Ｄ端子の所定の信号線からアスペクト比情報を検出することができず、アスペクト比に基づいて映像を表示させることができない。
【００１２】
本発明は上記事情に鑑みてなされたものであり、本発明の目的は、アスペクト比情報を入力側から出力側へ伝達できるビデオ信号入出力装置を提供することにある。
【課題を解決するための手段】
【００１３】
上記課題を解決するために、本発明の一態様のビデオ信号入出力装置は、入力端子であるＳビデオ端子と、出力端子であるＤ端子と、前記Ｓビデオ端子に入力されたＳビデオ信号をコンポーネントビデオ信号に変換する変換手段と、前記Ｓビデオ信号の輝度信号に重畳されたＩＤ-１コードを取得する取得手段と、前記取得手段が取得したＩＤ-１コードを解析する解析手段と、前記解析手段の解析結果に基づいてアスペクト比識別信号を発生する信号発生手段と、を有し、前記アスペクト比識別信号および前記コンポーネントビデオ信号が前記Ｄ端子より出力される。
【００１４】
また、本発明の他の態様のビデオ信号入出力装置は、入力端子であるコンポジットビデオ端子と、出力端子であるＤ端子と、前記コンポジットビデオ端子に入力されたコンポジットビデオ信号をコンポーネントビデオ信号に変換する変換手段と、前記コンポジットビデオ信号に重畳されたＩＤ-１コードを取得する取得手段と、前記取得手段が取得したＩＤ-１コードを解析する解析手段と、前記解析手段の解析結果に基づいてアスペクト比識別信号を発生する信号発生手段と、を有し、前記アスペクト比識別信号および前記コンポーネントビデオ信号が前記Ｄ端子より出力される。
【００１５】
また、本発明の他の態様のビデオ信号入出力装置は、入力端子であるコンポーネントビデオ端子と、出力端子であるＤ端子と、前記コンポーネントビデオ端子に入力されたコンポーネントビデオ信号の輝度信号に重畳されたＩＤ-１コードを取得する取得手段と、前記取得手段が取得したＩＤ-１コードを解析する解析手段と、前記解析手段の解析結果に基づいてアスペクト比識別信号を発生する信号発生手段と、を有し、前記アスペクト比識別信号および前記コンポーネントビデオ信号が前記Ｄ端子より出力される。
【００１６】
本発明の他の態様のビデオ信号入出力装置は、入力端子であるＳビデオ端子と、出力端子であるコンポジットビデオ端子と、前記Ｓビデオ端子に入力されたＳビデオ信号をコンポジットビデオ信号に変換する変換手段と、前記Ｓビデオ信号の色信号に重畳されたアスペクト比識別信号を取得する取得手段と、前記取得手段が取得したアスペクト比識別信号を解析する解析手段と、前記解析手段の解析結果に基づいて、前記アスペクト比識別信号に対応するＩＤ-１コードを前記コンポジットビデオ信号に重畳する重畳手段と、を有し、前記アスペクト比識別信号が重畳された前記コンポジットビデオ信号が前記コンポジットビデオ端子より出力される。
【００１７】
本発明の他の態様のビデオ信号入出力装置は、入力端子であるＳビデオ端子と、出力端子であるコンポーネントビデオ端子と、前記Ｓビデオ端子に入力されたＳビデオ信号をコンポーネントビデオ信号に変換する変換手段と、前記Ｓビデオ信号の色信号に重畳されたアスペクト比識別信号を取得する取得手段と、前記取得手段が取得したアスペクト比識別信号を解析する解析手段と、前記解析手段の解析結果に基づいて、前記アスペクト比識別信号に対応するＩＤ-１コードを前記コンポーネントビデオ信号の輝度信号に重畳する重畳手段と、を有し、前記アスペクト比識別信号が重畳された前記コンポーネントビデオ信号が前記コンポーネントビデオ端子より出力される。
【発明の効果】
【００１８】
本発明では、入力端子に入力された信号からアスペクト比情報（アスペクト比識別信号、ＩＤ-１コード）を抽出し、出力端子から出力されるビデオ信号と共に出力する。したがって、アスペクト比情報を入力側から出力側へ伝達することができる。
【発明を実施するための最良の形態】
【００１９】
以下に、本発明の実施の形態を説明する。
【００２０】
図１は、本発明の一実施形態が適用されたビデオ信号入出力装置の概略図である。本実施形態のビデオ信号入出力装置の入力側には、ＤＶＤプレーヤ、ＶＤＰ（Video Disc Player）、ＶＣＲ（Video Casette Recorder）等のビデオ再生装置が接続され、出力側には、テレビジョン受信機、モニタ等のビデオ出力装置が接続される。このようなビデオ信号入出力装置として、例えばＡＶアンプがある。
【００２１】
本実施形態のビデオ信号入出力装置は、図示するように、入力端子群１と、入力アンプ群２と、ＩＤ-１コード検出回路３〜５と、ＬＰＦ６と、バッファアンプ１５と、ビデオデコーダ７と、ビデオエンコーダ８と、マイコン（マイクロコンピュータ）９と、出力アンプ群１０と、アスペクト比識別信号出力回路１１と、出力切替スイッチ１２と、ＩＤ-１コード付加回路１６と、出力端子群１４と、を有する。
【００２２】
入力端子群１は、３種類の入力端子、具体的には、輝度信号（同期信号を含む）および色信号が混合されたコンポジットビデオ信号を入力するためのコンポジットビデオ端子１ａと、輝度信号（同期信号を含む）および色信号がそれぞれ分離されたＳビデオ信号（Ｙ/Ｃ信号）を入力するためのＳビデオ端子１ｂと、輝度信号（同期信号を含む）であるＹ信号および色信号が復調された２つの色差信号Ｐｂ/Ｃｂ、Ｐｒ/Ｃｒからなるコンポーネントビデオ信号を入力するためのコンポーネントビデオ端子１ｃと、を有する。
【００２３】
ここで、コンポジットビデオ信号、Ｓビデオ信号の輝度信号およびコンポーネントビデオ信号のＹ信号の各信号には、映像信号のないブランキング期間があり、その垂直ブランキング期間の第２０ラインおよび第２８３ラインには、２０ビットのコード化した識別信号であるＩＤ-１コードが重畳されている。
【００２４】
また、Ｓビデオ信号の色信号には、アスペクト比識別信号が重畳されている。アスペクト比識別信号の仕様は、識別電圧が５（ｖ）のときアスペクト比が１６：９、識別電圧が２（ｖ）のときアスペクト比が４：３のレターボックス、そして、識別信号が０（ｖ）のときアスペクト比が４：３となる。この信号を受けて、テレビジョン受信機側にてアスペクト比の自動切り替えが行なわれる。
【００２５】
入力アンプ群２は、複数のアンプで構成され、入力端子群１に入力された信号を増幅（例えば６ｄＢ増幅）する。ＩＤ-１コード検出回路３は、コンポジットビデオ端子１ａに入力され、入力アンプ群２で増幅されたコンポジットビデオ信号からＩＤ-１コードを検出する。ＩＤ-１コード検出回路４は、Ｓビデオ端子１ｂに入力され、入力アンプ群２で増幅されたＳビデオ信号の輝度信号からＩＤ-１コードを検出し、マイコン９へ出力する。ＩＤ-１コード検出回路５は、コンポーネントビデオ端子１ｃに入力され、入力アンプ群２で増幅されたコンポーネントビデオ信号のＹ信号からＩＤ-１コードを検出し、マイコン９へ出力する。ＬＰＦ６は、Ｓビデオ端子１ｂに入力され、入力アンプ群２で増幅されたＳビデオ信号の色信号から直流成分つまりアスペクト比識別信号を抽出する。このアスペクト比識別信号は、バッファアンプ１５を介してマイコン９へ送られる。
【００２６】
ビデオデコーダ７は、コンポジットビデオ端子１ａに入力され、入力アンプ群２で増幅されたコンポジットビデオ信号、および、Ｓビデオ端子１ｂに入力され、入力アンプ群２で増幅されたＳビデオ信号を、コンポーネントビデオ信号に復調し、その後、例えばＩＴＵＲ.ＢＴ６０１規格に準じたデジタル信号に変換する。また、コンポーネントビデオ端子１ｃに入力され、入力アンプ群２で増幅されたコンポーネントビデオ信号を、例えばＩＴＵＲ.ＢＴ６０１規格に準じたデジタル信号に変換する。
【００２７】
ビデオエンコーダ８は、ビデオデコーダ７から出力されたデジタル信号を、Ｓビデオ信号、コンポーネントビデオ信号、および、コンポジットビデオ信号にＤ/Ａ変換する。また、ビデオエンコーダ８は、マイコン９よりの指示に従い、Ｓビデオ信号の色信号にアスペクト比識別信号を重畳する。
【００２８】
出力アンプ群１０は、複数のアンプで構成され、ビデオエンコーダ８から出力されたコンポーネントビデオ信号およびコンポジットビデオ信号を増幅（例えば６ｄＢ増幅）する。出力切替スイッチ１２は、マイコン９よりの指示に従い、ビデオエンコーダ８から出力され、出力アンプ群１０で増幅されたコンポーネントビデオ信号、および、コンポーネントビデオ入力端子１ｃに入力されたコンポーネントビデオ信号の一方を選択する。
【００２９】
ＩＤ-１コード付加回路１６は、マイコン９よりの指示に従い、ビデオエンコーダ８から出力され、出力アンプ群１０で増幅されたコンポジットビデオ信号に、ＩＤ-１コードを重畳する。アスペクト比識別信号出力回路１１は、マイコン９よりの指示に従い、アスペクト比識別信号を生成する。
【００３０】
出力端子群１４は、４種類の出力端子、具体的には、ビデオエンコーダ８から出力されるＳビデオ信号を外部出力するためのＳビデオ端子１４ａと、出力切替スイッチ１２で選択されたコンポーネントビデオ信号およびアスペクト比識別信号出力回路１１が生成したアスペクト比識別信号を外部出力するためのＤ端子１４ｂと、ビデオエンコーダ８から出力されたコンポジットビデオ信号を外部出力するためのコンポジットビデオ端子１４ｃと、コンポーネントビデオ端子１ｃに入力されたコンポーネントビデオ信号を外部出力するためのコンポーネントビデオ端子１４ｄと、を有する。
【００３１】
マイコン９は、ビデオ信号入出力装置の各部を制御する。また、ＩＤ-１コード検出回路３〜５が検出したＩＤ-１コードやＬＰＦ６で抽出したアスペクト比識別信号を解析し、解析結果が示すアスペクト比を示すＩＤ-１コードの付加をＩＤ-１コード付加回路１６に指示したり、該アスペクト比を示すアスペクト比識別信号の生成をアスペクト比識別信号出力回路１１およびビデオエンコーダ８に指示したりする。
【００３２】
さて、上記構成のビデオ信号入出力装置において、コンポジットビデオ端子１ａに、コンポジットビデオピンプラグが接続された場合、コンポジットビデオ端子１ａに入力されたコンポジットビデオ信号は、入力アンプ群２で増幅され、ＩＤ-１コード検出回路３により、このコンポジットビデオ信号に重畳されているＩＤ-１コードが検出される。そして、検出されたＩＤ-１コードがマイコン９に送られる。これを受けて、マイコン９は、ＩＤ-１コードの解析を行なう。
【００３３】
マイコン９は、ＩＤ-１コードの解析において、２０ビットのＩＤ-１コードに含まれるアスペクト比コードビット（２ビット）のビット値を調べることで、アスペクト比の識別を行う。なお、アスペクト比コードビットのｂｉｔ１が"１"の場合はアスペクト比１６：９、アスペクト比コードビットのｂｉｔ１が"１"でｂｉｔ２が"０"の場合はアスペクト比４：３のレターボックス、アスペクト比コードビットのｂｉｔ１およびｂｉｔ２が共に"０"の場合はアスペクト比４：３である。そして、マイコン９は、解析結果のアスペクト比を示すアスペクト比識別信号を生成するように、アスペクト比識別信号出力回路１１およびビデオエンコーダ８に指示を出すと共に、該アスペクト比を示すＩＤ-１コードを付加するように、ＩＤ-１コード付加回路１６に指示を出す。さらに、出力アンプ群１０の出力信号を選択するように、出力切替スイッチ１２に指示を出す。
【００３４】
コンポジットビデオ端子１ａに入力され、入力アンプ群２で増幅されたコンポジットビデオ信号は、ビデオデコーダ７に入力される。ビデオデコーダ７は、入力されたコンポジットビデオ信号をコンポーネントビデオ信号に復調し、その後、例えばＩＴＵＲ.ＢＴ６０１規格に準じたデジタル信号に変換し、ビデオエンコーダ８に出力する。ビデオエンコーダ８は、ビデオデコーダ７から入力されたデジタル信号を、Ｓビデオ信号、コンポーネントビデオ信号、および、コンポジットビデオ信号にＤ/Ａ変換し出力する。なお、Ｓビデオ信号は、マイコン９より指示されたアスペクト比識別信号が重畳されてから出力される。
【００３５】
ビデオエンコーダ８から出力されたＳビデオ信号は、Ｓビデオ端子１４ａから外部出力される。ビデオエンコーダ８から出力されたコンポジットビデオ信号は、出力アンプ群１０で増幅された後、ＩＤ-１コード付加回路１６でＩＤ-１コードが重畳され、その後、コンポジットビデオ端子１４ｃから外部出力される。そして、ビデオエンコーダ８から出力されたコンポーネントビデオ信号は、出力アンプ群１０で増幅された後、出力切替スイッチ１２で選択され、Ｄ端子１４ｂから外部出力される。この際、アスペクト比識別信号出力回路１１により生成されたアスペクト比識別信号が、Ｄ端子の所定のピンから外部出力される。
【００３６】
また、上記構成のビデオ信号入出力装置において、Ｓビデオ端子１ｂにＳビデオ端子プラグが接続された場合であって、Ｓビデオ端子１ｂに入力されたＳビデオ信号がＳ１端子信号およびＳ２端子信号に対応していない場合、このＳビデオ信号（輝度信号にＩＤ-１コードが重畳されている）は、入力アンプ群２で増幅され、ＩＤ-１コード検出回路４により、このＳビデオ信号の輝度信号に重畳されているＩＤ-１コードが検出される。そして、検出されたＩＤ-１コードがマイコン９に送られる。これを受けて、マイコン９は、ＩＤ-１コードの解析を行い、解析結果のアスペクト比を示すアスペクト比識別信号を生成するように、アスペクト比識別信号出力回路１１およびビデオエンコーダ８に指示を出すと共に、該アスペクト比を示すＩＤ-１コードを付加するように、ＩＤ-１コード付加回路１６に指示を出す。さらに、出力アンプ群１０の出力信号を選択するように、出力切替スイッチ１２に指示を出す。
【００３７】
Ｓビデオ端子１ｂに入力され、入力アンプ群２で増幅されたＳビデオ信号は、ビデオデコーダ７に入力される。ビデオデコーダ７は、入力されたＳビデオ信号をコンポーネントビデオ信号に復調し、その後、例えばＩＴＵＲ.ＢＴ６０１規格に準じたデジタル信号に変換し、ビデオエンコーダ８に出力する。ビデオエンコーダ８は、ビデオデコーダ７から入力されたデジタル信号を、Ｓビデオ信号、コンポーネントビデオ信号、および、コンポジットビデオ信号にＤ/Ａ変換し出力する。なお、Ｓビデオ信号には、マイコン９より指示されたアスペクト比識別信号が重畳されてから出力される。
【００３８】
ビデオエンコーダ８から出力されたＳビデオ信号は、Ｓビデオ端子１４ａから外部出力される。ビデオエンコーダ８から出力されたコンポジットビデオ信号は、出力アンプ群１０で増幅された後、ＩＤ-１コード付加回路１６でＩＤ-１コードが重畳され、その後、コンポジットビデオ端子１４ｃから外部出力される。そして、ビデオエンコーダ８から出力されたコンポーネントビデオ信号は、出力アンプ群１０で増幅された後、出力切替スイッチ１２で選択され、Ｄ端子１４ｂから外部出力される。この際、アスペクト比識別信号出力回路１１により生成されたアスペクト比識別信号が、Ｄ端子の所定のピンから外部出力される。
【００３９】
また、上記構成のビデオ信号入出力装置において、Ｓビデオ端子１ｂにＳビデオ端子プラグが接続された場合であって、Ｓビデオ端子１ｂに入力されたＳビデオ信号がＳ１端子信号あるいはＳ２端子信号に対応している場合、このＳビデオ信号（色信号にアスペクト比識別信号が重畳されている）は、入力アンプ群２で増幅され、ＬＰＦ６により、このＳビデオ信号の色信号に重畳されているアスペクト比識別信号が抽出される。そして、抽出されたアスペクト比識別信号がバッファアンプ１５を介してマイコン９に送られる。これを受けて、マイコン９は、アスペクト比識別信号の解析を行ない、解析結果のアスペクト比を示すアスペクト比識別信号を生成するように、アスペクト比識別信号出力回路１１およびビデオエンコーダ８に指示を出すと共に、該アスペクト比を示すＩＤ-１コードを付加するように、ＩＤ-１コード付加回路１６に指示を出す。さらに、出力アンプ群１０の出力信号を選択するように、出力切替スイッチ１２に指示を出す。
【００４０】
Ｓビデオ端子１ｂに入力され、入力アンプ群２で増幅されたＳビデオ信号は、ビデオデコーダ７に入力される。ビデオデコーダ７は、入力されたＳビデオ信号をコンポーネントビデオ信号に復調し、その後、例えばＩＴＵＲ.ＢＴ６０１規格に準じたデジタル信号に変換し、ビデオエンコーダ８に出力する。ビデオエンコーダ８は、ビデオデコーダ７から入力されたデジタル信号を、Ｓビデオ信号、コンポーネントビデオ信号、および、コンポジットビデオ信号にＤ/Ａ変換し出力する。なお、Ｓビデオ信号には、マイコン９より指示されたアスペクト比識別信号が重畳されてから出力される。
【００４１】
ビデオエンコーダ８から出力されたＳビデオ信号は、Ｓビデオ端子１４ａから外部出力される。ビデオエンコーダ８から出力されたコンポジットビデオ信号は、出力アンプ群１０で増幅された後、ＩＤ-１コード付加回路１６でＩＤ-１コードが重畳され、その後、コンポジットビデオ端子１４ｃから外部出力される。そして、ビデオエンコーダ８から出力されたコンポーネントビデオ信号は、出力アンプ群１０で増幅された後、出力切替スイッチ１２で選択され、Ｄ端子１４ｂから外部出力される。この際、アスペクト比識別信号出力回路１１により生成されたアスペクト比識別信号が、Ｄ端子の所定のピンから外部出力される。
【００４２】
また、上記構成のビデオ信号入出力装置において、コンポーネントビデオ端子１ｃにコンポーネントビデオピンプラグが接続された場合、コンポーネントビデオ端子１ｃに入力されたコンポーネントビデオ信号は、入力アンプ群２で増幅され、ＩＤ-１コード検出回路５により、このコンポーネントビデオ信号のＹ信号に重畳されているＩＤ-１コードが検出される。そして、検出されたＩＤ-１コードがマイコン９に送られる。これを受けて、マイコン９は、ＩＤ-１コードの解析を行い、解析結果のアスペクト比を示すアスペクト比識別信号を生成するように、アスペクト比識別信号出力回路１１およびビデオエンコーダ８に指示を出すと共に、該アスペクト比を示すＩＤ-１コードを付加するように、ＩＤ-１コード付加回路１６に指示を出す。さらに、コンポーネントビデオ端子１ｃの入力信号を選択するように、出力切替スイッチ１２に指示を出す。
【００４３】
コンポーネントビデオ端子１ｃに入力され、入力アンプ群２で増幅されたコンポーネントビデオ信号は、ビデオデコーダ７に入力される。ビデオデコーダ７は、入力されたコンポーネントビデオ信号を、例えばＩＴＵＲ.ＢＴ６０１規格に準じたデジタル信号に変換し、ビデオエンコーダ８に出力する。ビデオエンコーダ８は、ビデオデコーダ７から入力されたデジタル信号を、Ｓビデオ信号およびコンポーネントビデオ信号にＤ/Ａ変換し出力する。なお、Ｓビデオ信号には、マイコン９より指示されたアスペクト比識別信号が重畳されてから出力される。
【００４４】
ビデオエンコーダ８から出力されたＳビデオ信号は、Ｓビデオ端子１４ａから外部出力される。ビデオエンコーダ８から出力されたコンポジットビデオ信号は、出力アンプ群１０で増幅された後、ＩＤ-１コード付加回路１６でＩＤ-１コードが重畳され、その後、コンポジットビデオ端子１４ｃから外部出力される。そして、コンポーネントビデオ端子１ｃに入力され、入力アンプ群２で６ｄＢ増幅されたコンポーネントビデオ信号は、出力切替スイッチ１２で選択され、Ｄ端子１４ｂから外部出力される。この際、アスペクト比識別信号出力回路１１により生成されたアスペクト比識別信号が、Ｄ端子の所定のピンから外部出力される。また、このコンポーネントビデオ信号は、コンポーネントビデオ端子１４ｄからも外部出力される。
【００４５】
なお、本実施形態のビデオ信号入出力装置において、入力端子群１に入力された入力信号は、コンポーネントビデオ信号、Ｓビデオ信号、コンポジットビデオ信号の順に優先処理される。
【００４６】
上記構成のビデオ信号入出力装置において、Ｓビデオ端子１４ａにＳビデオ端子プラグが接続された場合、Ｓビデオ信号の色信号にアスペクト比識別信号が重畳され、ＩＤ-１コード検出回路４にてＳビデオ信号の輝度信号からＩＤ-１コードが検出されないことがある。この場合において、コンポジットビデオ端子１４ｃにＩＤ-１コードに対応したテレビジョン受信機からのコンポジットピンプラグが接続されると、コンポジットビデオ信号は、Ｓビデオ信号の輝度信号と色信号とを加算した信号であり、この加算により直流成分が除去されるため、色信号に重畳されているアスペクト比識別信号も失われる。このため、従来は、ＡＶアンプ（ビデオ信号入出力装置）から出力されたコンポジット信号にアスペクト比情報がなく、テレビジョン受信機は、アスペクト比に基づいて映像を表示することができない。これに対して、本実施形態では、入力されたＳビデオ信号がビデオデコーダ７に入力され、コンポーネントビデオ信号に復調された後、例えばＩＴＵＲ.ＢＴ６０１規格に準じたデジタル信号に変換し、ビデオエンコーダ８に出力する。そして、ビデオエンコーダ８にてコンポジットビデオ信号にＤ/Ａ変換される。また、ＬＰＦ６にて、入力されたＳビデオ信号の色信号から直流成分すなわちアスペクト比識別信号が抽出され、それから、マイコン９にて抽出されたアスペクト比識別信号の解析が行なわれる。そして、マイコン９は、解析結果に基づいて、ＩＤ-１コード付加回路１６を制御し、出力アンプ群１０から出力されたコンポジットビデオ信号にＩＤ-１コードを付加する。また、アスペクト比識別信号出力回路１１を制御し、アスペクト比識別信号をＤ端子１４ｂの所定のピンから出力する。
【００４７】
なお、上記の実施形態において、入力端子群１に入力された信号の種別（コンポジットビデオ信号、Ｓビデオ信号およびコンポーネントビデオ信号の少なくとも１つ）に応じて、出力信号の種別を決定するように修正することも可能である。
【００４８】
図２は、本発明の一実施形態が適用されたビデオ信号入出力装置の動作の一例を説明するためのフロー図である。
【００４９】
まず、マイコン９は、図示していないセンサ等を用いて、コンポーネントビデオ端子１ｃに、コンポーネントビデオピンプラグが接続されているか否かをチェックし（Ｓ１）、接続されている場合は、ＩＤ-１コード検出回路５でＩＤ-１コードが検出されているか否かをさらにチェックする（Ｓ２）。ＩＤ-１コードが検出されているならば、これを解析する（Ｓ３）。そして、解析結果のアスペクト比を示すアスペクト比識別信号をアスペクト比識別信号出力回路１１を生成させ（Ｓ４）、このアスペクト比識別信号をＤ端子１４ｂの所定のピンから出力する（Ｓ５）。また、マイコン９は、出力切替スイッチ１２を制御し、コンポーネントビデオ端子１ｃに入力されたコンポーネントビデオ信号を選択する。これにより、Ｄ端子１４ｂから、コンポーネントビデオ信号がアスペクト比識別信号と共に出力される。また、マイコン９は、ビデオエンコーダ８を制御し、ビデオデコーダ７から出力されたデジタル信号（コンポーネントビデオ信号から得られた信号）をＤ/Ａ変換することで得られるＳビデオ信号の色信号に、アスペクト比識別信号を重畳させる（Ｓ６）。それから、Ｓビデオ信号がＳビデオ端子１４ａから外部出力される（Ｓ７）。
【００５０】
Ｓ２において、ＩＤ-１コードが検出されていない場合、マイコン９は、図示していないセンサ等を用いて、Ｓビデオ端子１ｂに、Ｓビデオ端子プラグが接続されているか否かをチェックし（Ｓ８）、接続されている場合は、ＩＤ-１コード検出回路４でＩＤ-１コードが検出されているか否かをさらにチェックする（Ｓ９）。ＩＤ-１コードが検出されているならば、上述のＳ３〜Ｓ７の処理を行う。ＩＤ-１コードが検出されていない場合は、ＬＰＦ６およびバッファアンプ１５を介してアスペクト比識別信号が入力されているか否かをチェックする（Ｓ１０）。アスペクト比識別信号が入力されているならば、これを解析する（Ｓ１１）。その後、上述のＳ５〜Ｓ７の処理を行う。
【００５１】
Ｓ８において、Ｓビデオ端子１ｂにＳビデオ端子プラグが接続されていない場合、あるいは、Ｓ１０において、アスペクト比識別信号が入力されていない場合、マイコン９は、図示していないセンサ等を用いて、コンポジットビデオ端子１ａに、コンポジットビデオピンプラグが接続されているか否かをチェックし（Ｓ１２）、接続されている場合は、ＩＤ-１コード検出回路３でＩＤ-１コードが検出されているか否かをさらにチェックする（Ｓ１３）。ＩＤ-１コードが検出されているならば、上述のＳ３〜Ｓ７の処理を行う。ＩＤ-１コードが検出されていない場合は、マイコン９は、出力切替スイッチ１２を制御し、コンポーネントビデオ端子１ｃに入力されたコンポーネントビデオ信号を選択する。これにより、Ｄ端子１４ｂからコンポーネントビデオ信号のみ（アスペクト比識別信号は含まない）が出力される（Ｓ１４）。一方、Ｓ１２において、コンポジットビデオ端子１ａにコンポジットビデオピンプラグが接続されていない場合、コンポーネントビデオ端子１ｃに入力されたコンポーネントビデオ信号がコンポーネントビデオ端子１４ｄから外部出力される（Ｓ１２’）。
【００５２】
また、Ｓ１において、コンポーネントビデオ端子１ｃにコンポーネントビデオピンプラグが接続されていない場合、マイコン９は、図示していないセンサ等を用いて、Ｓビデオ端子１ｂに、Ｓビデオ端子プラグが接続されているか否かをチェックし（Ｓ１５）、接続されている場合は、ＩＤ-１コード検出回路４でＩＤ-１コードが検出されているか否かをさらにチェックする（Ｓ１６）。ＩＤ-１コードが検出されているならば、これを解析する（Ｓ１７）。そして、解析結果のアスペクト比を示すアスペクト比識別信号をアスペクト比識別信号出力回路１１に生成させ、このアスペクト比識別信号をＤ端子１４ｂの所定のピンから出力する（Ｓ１８）。また、マイコン９は、出力切替スイッチ１２を制御し、出力アンプ群１０より出力される、ビデオデコーダ７およびビデオエンコーダ８によりＳビデオ信号から生成されたコンポーネントビデオ信号を選択する（Ｓ１９）。これにより、Ｄ端子１４ｂから、コンポーネントビデオ信号がアスペクト比識別信号と共に出力される（Ｓ２０）。
【００５３】
Ｓ１６において、ＩＤ-１コードが検出されていない場合、マイコン９は、ＬＰＦ６およびバッファアンプ１５を介してアスペクト比識別信号が入力されているか否かをチェックする（Ｓ２１）。アスペクト比識別信号が入力されているならば、これを解析する。その後、解析結果のアスペクト比を示すアスペクト比識別信号をアスペクト比識別信号出力回路１１に生成させ、このアスペクト比識別信号をＤ端子１４ｂの所定のピンから出力する。そして、上述のＳ１９〜Ｓ２０の処理を行う。さらに、マイコン９は、ＩＤ-１コード付加回路１６を制御し、解析結果のアスペクト比を示すＩＤ-１コードを、ビデオデコーダ７およびビデオエンコーダ８によりＳビデオ信号から生成されたコンポジットビデオ信号に重畳し、コンポジットビデオ端子１４ｃから出力する（Ｓ２２〜Ｓ２５）。
【００５４】
Ｓ２１において、アスペクト比識別信号が入力されていない場合、マイコン９は、図示していないセンサ等を用いて、コンポジットビデオ端子１ａに、コンポジットビデオピンプラグが接続されているか否かをチェックし（Ｓ２６）、接続されている場合は、ＩＤ-１コード検出回路３でＩＤ-１コードが検出されているか否かをさらにチェックする（Ｓ２７）。ＩＤ-１コードが検出されているならば、これを解析する（Ｓ２８）。そして、解析結果のアスペクト比を示すアスペクト比識別信号をアスペクト比識別信号出力回路１１に生成させ、このアスペクト比識別信号をＤ端子１４ｂの所定のピンから出力する（Ｓ２９）。また、マイコン９は、出力切替スイッチ１２を制御し、出力アンプ群１０より出力される、ビデオデコーダ７およびビデオエンコーダ８によりコンポジットビデオ信号から生成されたコンポーネントビデオ信号を選択する。また、ビデオエンコーダ８を制御し、コンポジットビデオ信号から生成されたＳビデオ信号の色信号にアスペクト比識別信号を重畳する（Ｓ３０）。これにより、Ｄ端子１４ｂから、コンポーネントビデオ信号がアスペクト比識別信号と共に出力される。また、Ｓビデオ端子１４ａから色信号にアスペクト比識別信号が重畳されたＳビデオ信号が出力される（Ｓ３１）。
【００５５】
Ｓ２６において、コンポジットビデオ端子１ａにコンポジットビデオピンプラグが接続されていない場合、あるいは、Ｓ２７において、ＩＤ-１コードが検出されていない場合、ビデオエンコーダ８により色信号にアスペクト比識別信号が重畳されていないＳビデオ信号、コンポジットビデオ信号、および、コンポーネントビデオ信号が生成される（Ｓ３２）。色信号にアスペクト比識別信号が重畳されていないＳビデオ信号は、Ｓビデオ端子１４ａから出力される。コンポジットビデオ信号は、ＩＤ-１コード付加回路１６によりＩＤ-１コードが付加されることなくコンポジットビデオ端子１４ｃから出力される。そして、コンポーネントビデオ信号は、アスペクト比識別信号なしで、Ｄ端子１４ｂから出力される（Ｓ３３）。
【００５６】
また、Ｓ１５において、Ｓビデオ端子１ｂにＳビデオ端子プラグが接続されていない場合、マイコン９は、図示していないセンサ等を用いて、コンポジットビデオ端子１ｂに、コンポジットビデオピンプラグが接続されているか否かをチェックする（Ｓ３４）。接続されている場合は、Ｓ２７〜Ｓ３３の処理を行う。接続されていない場合、Ｓ１の処理に戻る。
【００５７】
また、上記の実施形態において、入力端子群１（コンポジットビデオ端子１ａ、Ｓビデオ端子１ｂ、コンポーネントビデオ端子１ｃ）にビデオ信号が入力された場合の動作は、次のように修正してもよい。
【００５８】
マイコン９は、ビデオデコーダ７に入力するビデオ信号から、コンポーネントビデオ信号、Ｓビデオ信号およびコンポジットビデオ信号のうちのいずれのビデオ信号が入力されているかを検出し、Ｄ端子１４ｂに出力するビデオ信号およびアスペクト比情報を決定する。
【００５９】
まず、コンポジットビデオ信号およびＳビデオ信号の入力がある場合を説明する。
【００６０】
マイコン９は、ビデオデコーダ７およびビデオエンコーダ８を制御し、Ｓビデオ信号をコンポーネントビデオ信号に変換し、そのコンポーネントビデオ信号をＤ端子に出力する。コンポジットビデオ信号およびＳビデオ信号の入力がある場合、コンポジットビデオ信号よりＳビデオ信号の方が高品質であり、且つ、Ｓビデオ信号の方がコンポーネントビデオ信号への変換が容易である。このため、Ｄ端子に出力するコンポーネントビデオ信号の変換元としてＳビデオ信号を選択する。また、マイコン９は、コンポジットビデオ端子１４ｃに、コンポジットビデオ信号を出力し、Ｓビデオ端子１４ａにＳビデオ信号を出力し、そして、コンポーネントビデオ端子１４ｄに、Ｓビデオ信号から変換されたコンポーネントビデオ信号を出力する。この場合、図１において、コンポーネントビデオ端子１ｃに入力されたコンポーネントビデオ信号および出力アンプ群１０から出力されたコンポーネントビデオ信号のいずれか一方を選択し、コンポーネントビデオ端子１４ｄに出力するための出力切替スイッチを追加する必要がある。
【００６１】
次に、マイコン９は、Ｓビデオ信号の色信号にアスペクト比識別信号が重畳されているか否かを判断する。Ｓビデオ信号の色信号にアスペクト比識別信号が重畳されている場合は、ＬＰＦ６およびバッファアンプ１５を介して受付けたアスペクト比識別信号に基づいて、アスペクト比識別信号出力回路１１を制御し、Ｄ端子１４ｂにアスペクト比識別信号を出力する。一方、Ｓビデオ信号の色信号にアスペクト比識別信号が重畳されてない場合は、Ｓビデオ信号の輝度信号にＩＤ-１コードが重畳されているか否かを判別する。Ｓビデオ信号の輝度信号にＩＤ-１コードが重畳されている場合は、ＩＤ-１検出回路４が検出したＩＤ-１コードに基づいて、アスペクト比識別信号出力回路１１を制御し、Ｄ端子１４ｂからアスペクト比識別信号を出力する。Ｓビデオ信号の輝度信号にＩＤ-１コードが重畳されてない場合は、ビデオデコーダ7に入力されたコンポジットビデオ信号およびＳビデオ信号とが同じ映像を示すものであるか否かを判別する。ここで、複数のビデオ信号が同じ映像を示すものであるか否かの判別は、同期信号の入力タイミング、ビデオ信号の輝度の変化および一定期問(例えば１フレーム)でのビデオ信号の色信号が同じであるか否かなどを調べることで行なうことができる。
【００６２】
コンポジットビデオ信号とＳビデオ信号とが同じ映像を示している場合、マイコン９は、ＩＤ-１コード検出回路３が検出したコンポジットビデオ信号のＩＤ-１コードに基づいて、アスペクト比識別信号出力回路１１を制御し、Ｄ端子１４ｂにアスペクト比識別信号を出力する。
【００６３】
Ｓビデオ信号にアスペクト比情報(アスペクト比識別信号およびＩＤ-１コード)が重畳されておらず、かつ、コンポジットビデオ信号とSビデオ信号とが同じ映像を示すものででない場合は、Ｄ端子１４ｂにアスペクト比識別信号を出力しない。
【００６４】
コンポジットビデオ信号とＳビデオ信号の入力があった場合におけるアスペクト比情報の選択は、基本的に、Ｄ端子１４ｂに出力するコンポーネントビデオ信号の元となった信号(Ｓビデオ信号）のアスペクト比情報を選択することにより、コンポジットビデオ信号の出力装置とＳビデオ信号の出力装置とが異なる装置の場合でも、Ｄ端子１４ｂに出力したビデオ信号に対応したアスペクト比情報をＤ端子１４ｂに出力することができる。
【００６５】
また、Ｄ端子１４ｂに出力するコンポーネントビデオ信号の元となった信号(Ｓビデオ信号)にアスペクト比情報がなく、且つ、Ｓビデオ信号とコンポジットビデオ信号とが同じ映像を示す場合には、コンポジットビデオ信号から検出したＩＤ-１コードに基づくアスペクト比識別信号をＤ端子１４ｂに出力する。これにより、Ｓビデオ信号にアスペクト比情報が含まれていない場合でも、Ｄ端子１４ｂに出力したビデオ信号に対応したアスペクト比識別信号をＤ端子１４ｂに出力することができる。
【００６６】
次に、Ｓビデオ信号およびコンポーネントビデオ信号の入力がある場合を説明する。
【００６７】
マイコン９は、出力切替スイッチ１２を制御し、入力されたコンポーネントビデオ信号をＤ端子１４ｂから出力する。コンポーネントビデオ信号およびＳビデオ信号の入力がある場合、Ｓビデオ信号よりコンポーネントビデオ信号の方が高品質であり、且つ、コンポーネントビデオ信号は信号変換の処理を行う必要がない。このため、Ｄ端子１４ｂに出力するコンポーネントビデオ信号の変換元として、入力されたコンポーネントビデオ信号を選択する。また、マイコン９は、ビデオデコーダ７およびビデオエンコーダ８を制御し、コンポジットビデオ端子１４ｃにコンポジットビデオ信号を出力し、Ｓビデオ端子１４ａにＳビデオ信号を出力する。また、コンポーネントビデオ端子１４ｄには、入力されたコンポーネントビデオ信号を出力する。なお、図１において、Ｓビデオ端子１ｂに入力されたＳビデオ信号およびビデオエンコーダ８から出力されたＳビデオ信号のいずれか一方を選択し、Ｓビデオ端子１４ａに出力するための出力切替スイッチを追加し、入力されたＳビデオ信号をＳビデオ端子１４ａに出力するようにしてもよい。
【００６８】
次に、マイコン９は、コンポーネントビデオ信号のＹ信号にＩＤ-１コードが重畳されているか否かを判断する。コンポーネントビデオ信号のＹ信号にＩＤ-１コードが重畳されている場合は、ＩＤ-１コード検出回路５が検出したＩＤ-１コードに基づいて、アスペクト比識別信号出力回路１１を制御し、Ｄ端子１４ｂにアスペクト比識別信号を出力する。一方、コンポーネントビデオ信号のＹ信号にＩＤ-１コードが重畳されてない場合は、入力されたコンポーネントビデオ信号およびＳビデオ信号が同じ映像を示すものであるか否かを判別する。入力されたコンポーネントビデオ信号およびＳビデオ信号が同じ映像を示すものである場合、マイコン９は、ＬＰＦ６およびバッファアンプ１５を介してアスペクト比識別信号がＳビデオ信号の色信号から抽出されたか否かを判断し、抽出された場合は、このアスペクト比識別信号に基づいて、アスペクト比識別信号出力回路１１を制御し、Ｄ端子１４ｂからアスペクト比識別信号を出力する。Ｓビデオ信号の色信号からアスペクト比識別信号が抽出されなかった場合は、Ｓビデオ信号の輝度信号にＩＤ-１コードが重畳されているか否かを判断し、重畳されている場合は、ＩＤ-１検出回路４が検出したＩＤ-１コードに基づいて、アスペクト比識別信号出力回路１１を制御し、Ｄ端子１４ｂからアスペクト比識別信号を出力する。
【００６９】
一方、コンポーネントビデオ信号のＹ信号にＩＤ-１コードが重畳されておらず、かつ、入力されたコンポーネントビデオ信号およびＳビデオ信号が同じ映像を示すものでない場合、あるいは、同じ映像を示しているがＳビデオ信号にアスペクト比識別信号およびＩＤ-１コードのいずれも含まれていない場合、アスペクト比識別信号はＤ端子１４ｂから出力されない。
【００７０】
コンポーネントビデオ信号とＳビデオ信号の入力があった場合におけるアスペクト比情報の選択は、基本的に、Ｄ端子１４ｂへ出力するコンポーネントビデオ信号のアスペクト比情報を選択することにより、コンポーネントビデオ信号の出力装置とＳビデオ信号の出力装置とが異なる装置の場合でも、Ｄ端子１４ｂに出力したビデオ信号に対応したアスペクト比情報をＤ端子１４ｂに出力することができる。
【００７１】
また、Ｄ端子１４ｂに出力するコンポーネントビデオ信号にアスペクト比情報がなく、且つ、Ｓビデオ信号とコンポーネントビデオ信号とが同じ映像を示す場合には、Ｓビデオ信号から検出したアスペクト比識別信号あるいはＩＤ-１コードに基づくアスペクト比識別信号をＤ端子１４ｂに出力する。これにより、コンポーネントビデオ信号にアスペクト比情報が含まれていない場合でも、Ｄ端子１４ｂに出力したビデオ信号に対応したアスペクト比識別信号をＤ端子１４ｂに出力することができる。
【００７２】
次に、コンポジットビデオ信号およびコンポーネントビデオ信号の入力がある場合を説明する。
【００７３】
マイコン９は、出力切替スイッチ１２を制御し、入力されたコンポーネントビデオ信号をＤ端子１４ｂから出力する。コンポーネントビデオ信号およびコンポジットビデオ信号の入力がある場合、コンポジットビデオ信号よりコンポーネントビデオ信号の方が高品質であり、且つ、コンポーネントビデオ信号は信号変換の処理を行う必要がない。このため、Ｄ端子１４ｂに出力するコンポーネントビデオ信号の変換元として、入力されたコンポーネントビデオ信号を選択する。また、マイコン９は、ビデオデコーダ７およびビデオエンコーダ８を制御し、コンポジットビデオ端子１４ｃにコンポジットビデオ信号を出力し、Ｓビデオ端子１４ａにＳビデオ信号を出力する。また、コンポーネントビデオ端子１４ｄには、入力されたコンポーネントビデオ信号を出力する。なお、図１において、コンポジットビデオ端子１ａに入力されたコンポジットビデオ信号およびビデオエンコーダ８から出力されたコンポジットビデオ信号のいずれか一方を選択し、コンポジットビデオ端子１４ｃに出力するための出力切替スイッチを追加し、入力されたコンポジットビデオ信号をコンポジットビデオ端子１４ｃに出力するようにしてもよい。
【００７４】
次に、マイコン９は、コンポーネントビデオ信号のＹ信号にＩＤ-１コードが重畳されているか否かを判断する。コンポーネントビデオ信号のＹ信号にＩＤ-１コードが重畳されている場合は、ＩＤ-１コード検出回路５が検出したＩＤ-１コードに基づいて、アスペクト比識別信号出力回路１１を制御し、Ｄ端子１４ｂにアスペクト比識別信号を出力する。一方、コンポーネントビデオ信号のＹ信号にＩＤ-１コードが重畳されてない場合は、入力されたコンポーネントビデオ信号およびコンポジットビデオ信号が同じ映像を示すものであるか否かを判別する。入力されたコンポーネントビデオ信号およびコンポジットビデオ信号が同じ映像を示すものである場合、マイコン９は、コンポジットビデオ信号にＩＤ-１コードが重畳されているか否かを判断し、重畳されている場合は、ＩＤ-１コード検出回路３が検出したＩＤ-１コードに基づいて、アスペクト比識別信号出力回路１１を制御し、Ｄ端子１４ｂにアスペクト比識別信号を出力する。
【００７５】
一方、コンポーネントビデオ信号のＹ信号にＩＤ-１コードが重畳されておらず、かつ、入力されたコンポーネントビデオ信号およびコンポジットビデオ信号が同じ映像を示すものでない場合、あるいは、同じ映像を示しているがコンポジットビデオ信号にＩＤ-１コードが重畳されていない場合、アスペクト比識別信号はＤ端子１４ｂから出力されない。
【００７６】
コンポーネントビデオ信号とコンポジットビデオ信号の入力があった場合におけるアスペクト比情報の選択は、基本的に、Ｄ端子１４ｂへ出力するコンポーネントビデオ信号のアスペクト比情報を選択することにより、コンポーネントビデオ信号の出力装置とコンポジットビデオ信号の出力装置とが異なる装置の場合でも、Ｄ端子１４ｂに出力したビデオ信号に対応したアスペクト比情報をＤ端子１４ｂに出力することができる。
【００７７】
また、Ｄ端子１４ｂに出力するコンポーネントビデオ信号にアスペクト比情報がなく、且つ、コンポジットビデオ信号とコンポーネントビデオ信号とが同じ映像を示す場合には、コンポジットビデオ信号から検出したＩＤ-１コードに基づくアスペクト比識別信号をＤ端子１４ｂに出力する。これにより、コンポーネントビデオ信号にアスペクト比情報が含まれていない場合でも、Ｄ端子１４ｂに出力したビデオ信号に対応したアスペクト比識別信号をＤ端子１４ｂに出力することができる。
【００７８】
次に、コンポーネントビデオ信号、Ｓビデオ信号およびコンポジットビデオ信号の入力がある場合を説明する。
【００７９】
マイコン９は、出力切替スイッチ１２を制御し、入力されたコンポーネントビデオ信号をＤ端子１４ｂから出力する。コンポーネントビデオ信号、Ｓビデオ信号およびコンポジットビデオ信号の入力がある場合、Ｓビデオ信号およびコンポジットビデオ信号よりコンポーネントビデオ信号の方が高品質であり、且つ、コンポーネントビデオ信号は信号変換の処理を行う必要がない。このため、Ｄ端子１４ｂに出力するコンポーネントビデオ信号の変換元として、入力されたコンポーネントビデオ信号を選択する。また、マイコン９は、ビデオデコーダ７およびビデオエンコーダ８を制御し、コンポジットビデオ端子１４ｃにコンポジットビデオ信号を出力し、Ｓビデオ端子１４ａにＳビデオ信号を出力する。また、コンポーネントビデオ端子１４ｄには、入力されたコンポーネントビデオ信号を出力する。なお、図１において、コンポジットビデオ端子１ａに入力されたコンポジットビデオ信号およびビデオエンコーダ８から出力されたコンポジットビデオ信号のいずれか一方を選択し、コンポジットビデオ端子１４ｃに出力するための出力切替スイッチを追加し、入力されたコンポジットビデオ信号をコンポジットビデオ端子１４ｃに出力するようにしてもよい。同様に、Ｓビデオ端子１ｂに入力されたＳビデオ信号およびビデオエンコーダ８から出力されたＳビデオ信号のいずれか一方を選択し、Ｓビデオ端子１４ａに出力するための出力切替スイッチを追加し、入力されたＳビデオ信号をＳビデオ端子１４ａに出力するようにしてもよい。
【００８０】
次に、マイコン９は、コンポーネントビデオ信号のＹ信号にＩＤ-１コードが重畳されているか否かを判断する。コンポーネントビデオ信号のＹ信号にＩＤ-１コードが重畳されている場合は、ＩＤ-１コード検出回路５が検出したＩＤ-１コードに基づいて、アスペクト比識別信号出力回路１１を制御し、Ｄ端子１４ｂにアスペクト比識別信号を出力する。一方、コンポーネントビデオ信号のＹ信号にＩＤ-１コードが重畳されてない場合は、入力されたＳビデオ信号、コンポジットビデオ信号が、入力されたコンポーネントビデオ信号と同じ映像を示すものであるか否かを判別する。入力されたＳビデオ信号がコンポーネントビデオ信号と同じ映像を示すものである場合は、上述したＳビデオ信号およびコンポーネントビデオ信号の入力がある場合と同じ要領で、Ｓビデオ信号からアスペクト比情報を検出する。また、入力されたコンポジットビデオ信号がコンポーネントビデオ信号と同じ映像を示すものである場合は、上述したコンポジットビデオ信号およびコンポーネントビデオ信号の入力がある場合と同じ要領で、コンポジットビデオ信号からアスペクト比情報を検出する。そして、検出したアスペクト比情報に基づいて、アスペクト比識別信号出力回路１１を制御し、Ｄ端子１４ｂからアスペクト比識別信号を出力する。なお、アスペクト比情報を検出する優先順位は、例えば、Ｓビデオ信号の色信号のアスペクト比識別信号、Ｓ信号の輝度信号のＩＤ-１コード、コンポジットビデオ信号のＩＤ-１コードの順とするとよい。
【００８１】
一方、コンポーネントビデオ信号のＹ信号にＩＤ-１コードが重畳されておらず、かつ、入力されたコンポーネントビデオ信号がＳビデオ信号またはコンポジットビデオ信号と同じ映像を示すものでない場合、あるいは、同じ映像を示しているが、この同じ映像を示すＳビデオ信号またはコンポジットビデオ信号にアスペクト比情報が含まれていない場合、アスペクト比識別信号はＤ端子１４ｂから出力されない。
【００８２】
コンポーネントビデオ信号、Ｓビデオ信号およびコンポジットビデオ信号の入力があった場合におけるアスペクト比情報の選択は、基本的に、Ｄ端子１４ｂへ出力するコンポーネントビデオ信号のアスペクト比情報を選択することにより、コンポーネントビデオ信号の出力装置がＳビデオ信号の出力装置およびコンポジットビデオ信号の出力装置と異なる場合でも、Ｄ端子１４ｂに出力したビデオ信号に対応したアスペクト比情報をＤ端子１４ｂに出力することができる。
【００８３】
また、Ｄ端子１４ｂに出力するコンポーネントビデオ信号にアスペクト比情報がなく、且つ、コンポーネントビデオ信号がＳビデオ信号および/またはコンポジットビデオ信号と同じ映像を示す場合には、同じ映像を示すＳビデオ信号またはコンポジットビデオ信号から検出したアスペクト比情報に基づくアスペクト比識別信号をＤ端子１４ｂに出力する。これにより、コンポーネントビデオ信号にアスペクト比情報が含まれていない場合でも、Ｄ端子１４ｂに出力したビデオ信号に対応したアスペクト比識別信号をＤ端子１４ｂに出力することができる。
【００８４】
以上のように、入力端子群１から複数種のビデオ信号の入力があった場合、マイコン９は、ビデオデコーダ７に入力する信号を監視し、コンポーネントビデオ信号、Ｓビデオ信号、コンポジットビデオ信号のどのビデオ信号が入力しているかを検出し、コンポーネントビデオ信号、Ｓビデオ信号、コンポジットビデオ信号の優先順位でＤ端子１４ｂに出力するコンポーネントビデオ信号を選択する。また、Ｄ端子１４ｂに出力するアスペクト比識別信号は、基本的に、Ｄ端子１４ｂに出力するコンポーネントビデオ信号の元となったビデオ信号に重畳されているアスペクト比情報に基づいて生成される。そして、入力された複数種のビデオ信号が同じ映像を示しており、かつ、Ｄ端子１４ｂに出力するコンポーネントビデオ信号の元となったビデオ信号にアスペクト比情報が重畳されてない場合、他のビデオ信号に重畳されているにアスペクト比情報に基づくアスペクト比識別信号をＤ端子１４ｂに出力する。これにより、ビデオ信号入出力装置に、複数種のビデオ信号が入力された場合でも、自動的に、ビデオ信号と適切なアスペクト比識別信号とをＤ端子１４ｂから出力することができる。
【００８５】
このように、本実施形態のビデオ信号入出力装置によれば、ビデオテープ、ビデオディスクプレーヤ、衛星チューナなどのビデオ再生装置をＳビデオ端子で入力側に接続し、テレビジョン受信機などのビデオ出力装置をＤ端子で出力側に接続するだけで、Ｓビデオ信号に重畳されているアスペクト比情報を入力側から出力側へ伝達することができる。また、ビデオ再生装置をコンポジットビデオ端子あるいはコンポーネントビデオ端子で入力側に接続し、ビデオ出力装置をＤ端子で出力側に接続するだけで、コンポジットビデオ信号あるいはコンポーネントビデオ信号に重畳されているアスペクト比情報を入力側から出力側へ伝達することができる。
【図面の簡単な説明】
【００８６】
【図１】図１は、本発明の一実施形態が適用されたビデオ信号入出力装置の概略図である。
【図２】図２は、本発明の一実施形態が適用されたビデオ信号入出力装置の動作の一例を説明するためのフロー図である。
【符号の説明】
【００８７】
１：入力端子群、２：入力アンプ群、３：ＩＤ-１コード検出回路、４：ＩＤ-１コード検出回路、５：ＩＤ-１コード検出回路、６：ＬＰＦ、７：ビデオデコーダ、８：ビデオエンコーダ、９：マイコン、１０：出力アンプ群、１１：アスペクト比識別信号出力回路、１２：出力切替スイッチ、１４：出力端子群、１５：バッファアンプ、１６：ＩＤ-１コード付加回路
【図１】
2005102022.tif 000003
【図２】
2005102022.tif 000004